(57)【特許請求の範囲】
【請求項１】
複数種類の鉢植え植物の外観図が共通の尺度で表され、名称を付して一覧可能に配列されるとともに、前記外観図と同一の尺度で表された人間の姿図及び尺度目盛が表示されたことを特徴とする植物の一覧表。
【請求項２】
植物の外観図が各植物の有する特徴要素を軸として分布配列されたことを特徴とする請求項１に記載の植物の一覧表。
【請求項３】
植物の外観図は、各植物の葉色の濃淡を特徴要素として段階的に配列されたことを特徴とする請求項２に記載の植物の一覧表。
【請求項４】
植物の外観図は、各植物の葉の形状を特徴要素として段階的に配列されたことを特徴とする請求項２に記載の植物の一覧表。
【請求項５】
植物の外観図は、各植物の生育の方向を特徴要素として段階的に配列されたことを特徴とする請求項２に記載の植物の一覧表。
【請求項６】
各植物に適した生育条件を示す記号が各植物の外観図ごとに併記されたことを特徴とする請求項１から５のいずれかに記載の植物の一覧表。
【発明の詳細な説明】
【０００１】
【発明の属する技術分野】
この発明は、鉢植え植物の名称及び形状を示した植物の一覧表に関する。
【０００２】
【従来の技術】
需要者が一般に、数多く存在する鉢植え植物の中から目的の植物を探すとき、実際に植物を見て探すほか、植物の写真等が掲載された植物図鑑や雑誌などの本から探すということがある。本から探す場合、多数の植物について、各植物の名称をもとに形状その他の詳細な情報を比較、評価しながら選択できるといった利点がある。例えば、植物図鑑では、各植物が種別ごとに編集して構成されており、生息する植物をそのまま撮影した写真が掲載されていることが多い。
【０００３】
【発明が解決しようとする課題】
このような植物図鑑等の本では、需要者は目的の植物の種別や名称がわからなければ、掲載された植物の中から目的の植物を素早く探し出すことはできないうえ、複数の植物を比較するには複数のページを参照して検討しなければならない。また、植物を示す写真からは、その植物の実際の大きさを把握しにくく、他の植物と大きさを比較することも難しい。
【０００４】
本発明は以上のような問題点に鑑みてなされ、単に植物の紹介、説明をするだけでなく、目的の植物の名称や種別がわからないような場合であっても、植物の名称や形状等の大要が一目で把握でき、さらに各植物の特徴を相対的に比較、認識することができる植物の一覧表を提供し、需要者の植物の選択を容易にすることを目的とするものである。
【０００５】
【課題を解決するための手段】
上記の目的を達成するため、本発明は、複数種類の鉢植え植物の外観図が共通の尺度で表され、名称を付して一覧可能に配列されるとともに、前記外観図と同一の尺度で表された人間の姿図及び尺度目盛が表示されたことを特徴とする。この発明によれば、複数種類の鉢植え植物を一覧することにより、植物に関する知識の有無に拘らず、目的の植物の名称等の情報を容易に得ることができる。また、各植物の大きさや形状を相対的に把握でき、植物の実際の大きさもイメージしやすいものとなる。
【０００６】
さらに、植物の外観図が各植物の有する特徴要素を軸として分布配列されてもよい。特徴要素としては、例えば、各植物の葉色の濃淡、葉の形状、生育の方向などを挙げることができる。このような構成によれば、各植物の特徴を相対的に比較、認識することができる。
【０００７】
また、各植物に適した生育条件を示す記号が各植物の外観図ごとに併記されてもよい。このような構成によれば、各植物の外観的な特徴だけでなく、ふさわしい生育環境や手入れの方法など、非外観的な特徴についても容易に比較、評価することができる。
【０００８】
【発明の実施の形態】
以下、本発明に係る植物の一覧表の実施の形態について、図面を参照しつつ説明する。
【０００９】
図１から図７は、本発明の実施の形態を示している。
【００１０】
図１及び図２は植物の一覧表の全体図であり、図１に示される植物の一覧表１ａでは、比較的背の高いタイプの観葉植物が約３０種類、写真又はイラストレーションによる外観図２をもって表示され、それぞれに名称３が付記されている。また、図２に示される植物の一覧表１ｂでは、比較的背の低い観葉植物が約４０種類、図１と同様に写真等による外観図２をもって表示され、それぞれに名称３が付記されている。各植物の外観図２は、各一覧表１ａ、１ｂ中において、それぞれ共通の尺度で表されている。
【００１１】
一覧表１ａ、１ｂには、このような各植物の外観図２とともに、尺度目盛５と、外観図２と同一の尺度で表された人間の姿図４も表示されている（図３、図４参照）。この尺度目盛５により、需要者は、各植物の外観図２が示す植物のおおよその大きさを把握することができ、人間の姿図４により、各植物が実際にどの程度の大きさであるかをイメージすることができる。また、図２に示された一覧表１ｂでは、外観図２に描かれた鉢の大きさも大、中、小の３タイプにパターン化して示し、必要な鉢の大きさや、生育に要する土の量などの目安としている。
【００１２】
各一覧表１ａ、１ｂにおいて、各植物の外観図２は、植物の有する特徴要素を軸として一覧表１ａ、１ｂに分布配列される。図１に示される植物の一覧表１ａにおいては、各植物の葉色の濃淡を縦軸６１とするとともに、葉の形状を横軸６２として各植物の外観図２が段階的に配列されている（図５参照）。葉色の濃淡を示す縦軸６１は、下方ほど、その植物が「葉色の濃いもの」であることを示し、上方ほど「葉色の薄いもの」であることを示す。また、葉の形状を示す横軸６２は、左側が「ヤシのような葉をもつもの」、右側が「一般的な樹形・葉形のもの」を示し、中央付近は前記どちらにも属さない「特徴ある葉形をもつもの」を示す。
【００１３】
図２に示される植物の一覧表１ｂでは、各植物の葉色の濃淡を縦軸６３とするとともに、生育の方向を横軸６４として各植物の外観図２が段階的に配列されている（図６参照）。葉色の濃淡を示す縦軸６３は、前記図５に示された縦軸６１と同様に各植物の葉色を段階的に示す。また、生育の方向を示す横軸６４は、左側ほど、その植物が「横方向に生育するもの」であることを示し、右側ほど「上方向に生育するもの」であることを示す。各植物の外観図２は、このような縦軸６１、６３及び横軸６２、６４に従って分布配列され、各植物の相対的な特徴を容易に把握できるような構成となっている。
【００１４】
さらに、一覧表１ａ、１ｂには、各植物に適した生育条件を示す記号７１、７２、７３が、各植物の外観図２ごとに併記される。記号７１、７２、７３は、各植物の生育に必要な環境や好む環境を、それぞれ記号化し、各植物の生育条件を一目で把握できるよう示したものである。本実施の形態では、生育条件として、光、温度、水の３項目に分けられ、各項目ごとに記号群７ａ、７ｂ、７ｃで示されている。
【００１５】
図７に示されるように、光の条件としては、各植物が「日当たりのよい室内を好む植物」、「レースごしの明るい室内を好む植物」、又は「日陰で暗い室内でも育つ植物」の３種類に分類され、それぞれを意味するいずれかの記号７１によって示される。
【００１６】
また、温度条件としては、各植物が「育つ上で１０℃以上必要な植物」、「冬越しには５〜１０℃は必要な植物」、又は「氷点下にならなければ大丈夫な植物」の３種類に分類され、それぞれを意味するいずれかの記号７２によって示される。
【００１７】
また、水の条件としては、各植物が「土の表面が常に湿っている状態を好む植物」、「一般的な水分量を好む植物」、又は「やや乾燥状態を好む植物」の３種類に分類され、それぞれを意味するいずれかの記号７３によって示される。これら各記号群７ａ、７ｂ、７ｃは、互いに異なる色彩又は形状によって表示される。
【００１８】
以上のような構成とすることにより、需要者は、観葉植物に関する知識がなくとも、一覧表１ａ、１ｂを見ることで容易に植物の名称や特徴を知ることができる。また、各植物の大きさを人間の姿図４と比較したり、尺度目盛５を利用したりすることで、その植物の大きさを具体的にイメージすることができるとともに、植物同士の比較も簡単に行うことができる。
【００１９】
なお、本発明は前記のように観葉植物を素材として示す一覧表に限られず、例えば、花をつける植物などの花卉植物全般にも好適に実施することできるものである。
【００２０】
【発明の効果】
以上説明したように、本発明に係る植物の一覧表は、複数種類の鉢植え植物の外観図が共通の尺度で表され、名称を付して一覧可能に配列されたことにより、需要者の植物に関する知識の有無に拘らず、植物の名称や形状等の大要を一目で把握でき、目的の植物の名称等の情報を容易に得ることができるものとなる。また、植物の外観図と同一の尺度で表された人間の姿図及び尺度目盛の表示により、各植物の大きさや形状を相対的に把握でき、植物の実際の大きさもイメージしやすくなる。
【００２１】
また、植物の外観図を植物の有する特徴ごとに分布配列したり、各植物に適した生育条件を示す記号を併記したりすることで、需要者にとって、各植物の特徴を比較して認識することが容易なものとなる。
【図面の簡単な説明】
【図１】本発明の実施の形態に係る植物の一覧表の全体図である。
【図２】本発明の他の実施の形態に係る植物の一覧表の全体図である。
【図３】図１の一覧表に示された尺度目盛部分の拡大図である。
【図４】前記各一覧表に示された人間の姿図部分の拡大図であり、（ａ）は図１に表示の人間の姿図、（ｂ）は図２に表示の人間の姿図をそれぞれ示す。
【図５】図１に示す植物の一覧表における縦軸及び横軸部分の拡大図である。
【図６】図２に示す植物の一覧表における縦軸及び横軸部分の拡大図である。
【図７】前記各一覧表における各植物に適した生育条件の記号を示した部分の拡大図である。
【符号の説明】
１ａ、１ｂ    植物の一覧表
２            外観図
３            名称
４            人間の姿図
５            尺度目盛
６１、６３    縦軸
６２、６４    横軸
７１、７２、７３    生育条件を示す記号
【図１】
0003878034.tif 000002
【図２】
0003878034.tif 000003
【図３】
0003878034.tif 000004
【図４】
0003878034.tif 000005
【図５】
0003878034.tif 000006
【図６】
0003878034.tif 000007
【図７】
0003878034.tif 000008